(57)【要約】      （修正有）【課題】外部メディアの取り出し時に外部メディアが飛び出すことを防止できると共に、その動作が外部メディアの飛び出し防止のための構成に起因することをユーザに簡単に認識させることが可能な電子機器を提供する。【解決手段】機器本体と、機器本体に対し外部メディア２３を着脱自在に保持し、外部メディア２３の離脱時に外部メディア２３を付勢力によって機器本体より排出する外部メディア保持手段とを有し、外部メディア保持手段は外部メディア２３の着脱時に外部メディア２３の一部に接触し外部メディア２３の離脱時に付勢力によって外部メディア２３が勢いよく機器本体の外部へと飛び出すことを摩擦力によって防止する弾性部３３を有し、弾性部３３は外部メディア２３の着脱時に機器本体の外部より視認可能である位置に配置されている電子機器１。【選択図】図１０
2011165349.tif 000002
【特許請求の範囲】
【請求項１】
機器本体と、前記機器本体に対し外部メディアを着脱自在に保持し、前記外部メディアの離脱時に前記外部メディアを付勢力によって前記機器本体より排出する外部メディア保持手段とを有する電子機器において、
前記外部メディア保持手段は前記外部メディアの着脱時に前記外部メディアの一部に接触し前記外部メディアの離脱時に前記付勢力によって前記外部メディアが勢いよく前記機器本体の外部へと飛び出すことを摩擦力によって防止する弾性部を有し、前記弾性部は前記外部メディアの着脱時に前記機器本体の外部より視認可能である位置に配置されていることを特徴とする電子機器。
【請求項２】
請求項１記載の電子機器において、
前記弾性部の前記外部メディアとの接触部は半球形状であることを特徴とする電子機器。
【請求項３】
請求項１記載の電子機器において、
前記弾性部の前記外部メディアとの接触部は凸形状であることを特徴とする外部機器。
【請求項４】
請求項１記載の電子機器において、
前記弾性部の前記外部メディアとの接触部は板ばね構造であることを特徴とする外部機器。
【請求項５】
請求項１ないし４の何れか１つに記載の電子機器において、
前記弾性部は前記外部メディア保持手段の近傍に設けられた部材と一体的に設けられていることを特徴とする電子機器。
【請求項６】
請求項１ないし４の何れか１つに記載の電子機器において、
前記機器本体は電池を着脱自在に保持する電池保持部材を備えた電池保持手段を前記外部メディア保持手段の近傍に有し、前記弾性部は前記電池保持部材と一体的に設けられていることを特徴とする電子機器。
【請求項７】
請求項１ないし６の何れか１つに記載の電子機器において、
前記機器本体は前記外部メディア保持手段を覆う蓋体を有し、前記蓋体の開放時に前記弾性部が前記機器本体の外部より視認可能となることを特徴とする電子機器。
【請求項８】
請求項１ないし７の何れか１つに記載の電子機器であって、撮影レンズを有するデジタルスチルカメラ。
【発明の詳細な説明】
【技術分野】
【０００１】
本発明は外部メディアの飛び出し防止機構に関し、詳しくはデジタルカメラ等の電子機器におけるメモリカードの飛び出し防止機構に関する。
【背景技術】
【０００２】
従来、デジタルスチルカメラ等の電子機器において、ＳＤカード等の外部メディアを着脱自在に保持可能であるものが知られており、外部メディアの保持手段として、メディア自体によってコネクタのロックレバースプリングを押し込むタイプのものが知られている。
【０００３】
上述の保持手段では、外部メディア自体によってスプリングを圧縮しているため、外部メディアの取り出し時に圧縮されたスプリングの付勢力により外部メディアが勢いよく飛び出してしまうことがある。外部メディアが飛び出してしまった場合には外部メディアの破損や紛失につながる虞があるため、外部メディアの飛び出しを防止すべく、カードコネクタハウジングの一部をロック機構のロックスライドレバーに押し当てて、外部メディアの取り出し時にロックスライド部を減速させる技術が、たとえば「特許文献１」に開示されている。
【発明の概要】
【発明が解決しようとする課題】
【０００４】
上述の技術では、カードコネクタ自体にロックスライドレバーの減速機構を設けており、外部メディアを選定する際にロックスライドレバー減速機構を設けたカードコネクタしか選択肢がなく、コストや性能を含めた外部メディア選定の自由度が低いという問題点がある。また、カードコネクタ自体は品質低下を防止するためコネクタ全体を外部に露出させない（外部メディアの着脱部のみ露出）構成であるため、ユーザが実際に外部メディアの着脱操作を行う際に、ロックスライドレバーの一部がハウジングと摩擦することにより発生する著しい力量の変化を機能不良と捉えてしまい、正常な構成であっても苦情につながるという問題点がある。
【０００５】
本発明は上述した問題点を解決し、外部メディアの取り出し時に外部メディアが飛び出すことを防止できると共に、その動作が外部メディアの飛び出し防止のための構成に起因することをユーザに簡単に認識させることが可能な電子機器の提供を目的とする。
【課題を解決するための手段】
【０００６】
請求項１記載の発明は、機器本体と、前記機器本体に対し外部メディアを着脱自在に保持し、前記外部メディアの離脱時に前記外部メディアを付勢力によって前記機器本体より排出する外部メディア保持手段とを有する電子機器において、前記外部メディア保持手段は前記外部メディアの着脱時に前記外部メディアの一部に接触し前記外部メディアの離脱時に前記付勢力によって前記外部メディアが勢いよく前記機器本体の外部へと飛び出すことを摩擦力によって防止する弾性部を有し、前記弾性部は前記外部メディアの着脱時に前記機器本体の外部より視認可能である位置に配置されていることを特徴とする。
【０００７】
請求項２記載の発明は、請求項１記載の電子機器において、さらに前記弾性部の前記外部メディアとの接触部は半球形状であることを特徴とする。
【０００８】
請求項３記載の発明は、請求項１記載の電子機器において、さらに前記弾性部の前記外部メディアとの接触部は凸形状であることを特徴とする。
【０００９】
請求項４記載の発明は、請求項１記載の電子機器において、さらに前記弾性部の前記外部メディアとの接触部は板ばね構造であることを特徴とする。
【００１０】
請求項５記載の発明は、請求項１ないし４の何れか１つに記載の電子機器において、さらに前記弾性部は前記外部メディア保持手段の近傍に設けられた部材と一体的に設けられていることを特徴とする。
【００１１】
請求項６記載の発明は、請求項１ないし４の何れか１つに記載の電子機器において、さらに前記機器本体は電池を着脱自在に保持する電池保持部材を備えた電池保持手段を前記外部メディア保持手段の近傍に有し、前記弾性部は前記電池保持部材と一体的に設けられていることを特徴とする。
【００１２】
請求項７記載の発明は、請求項１ないし６の何れか１つに記載の電子機器において、さらに前記機器本体は前記外部メディア保持手段を覆う蓋体を有し、前記蓋体の開放時に前記弾性部が前記機器本体の外部より視認可能となることを特徴とする。
【００１３】
請求項８記載の発明は、請求項１ないし７の何れか１つに記載の電子機器であって、撮影レンズを有するデジタルスチルカメラであることを特徴とする。
【発明の効果】
【００１４】
本発明によれば、弾性部が外部メディアの側面に接触して外部メディアに対して摩擦抵抗力を付与するので、外部メディアが外部メディア保持手段から勢いよく突出することを防止することができ、弾性部が外部より視認可能であるので、使用者が外部メディア保持手段から外部メディアを引き抜く際に、外部メディアに対して弾性部により摩擦抵抗力が付与されていることが使用者に理解でき、外部メディアを引き抜く際の抵抗力が故障によるものではないことを使用者に判断させることができる。
【図面の簡単な説明】
【００１５】
【図１】本発明の一実施形態を適用可能なデジタルカメラの後方斜視図である。
【図２】本発明の一実施形態を適用可能なデジタルカメラの前方斜視図である。
【図３】本発明の一実施形態を適用可能なデジタルカメラの電池室近傍の概略図である。
【図４】本発明の一実施形態を適用可能な従来のデジタルカメラのＳＤカードの着脱状況を示す概略図である。
【図５】本発明の一実施形態を適用可能な従来のデジタルカメラの電池室の分解斜視図である。
【図６】従来のデジタルカメラに用いられる電池のロック爪を説明する概略図である。
【図７】本発明の第１の実施形態に用いられる電池のロック爪を説明する概略図である。
【図８】本発明の第１の実施形態に用いられるデジタルカメラの電池室の分解斜視図である。
【図９】本発明の第１の実施形態におけるＳＤカードの着脱状況を示す概略図である。
【図１０】本発明の第１の実施形態におけるＳＤカードの着脱状況を示す概略図である。
【図１１】本発明の第２の実施形態に用いられる電池のロック爪を説明する概略図である。
【図１２】本発明の第３の実施形態に用いられる電池のロック爪を説明する概略図である。
【発明を実施するための形態】
【００１６】
図１は、本発明の一実施形態を適用可能な電子機器としてのデジタルスチルカメラを示している。同図においてデジタルスチルカメラ１は、背面右側に撮影時に把持するグリップ部２を有しており、グリップ部２の下方に外部メディアとしてのＳＤカードが挿入されるカードスロット及び電池が挿入される電池収納室を覆う蓋体としての電池蓋３が開閉自在に設けられている。背面右側には、４個の押しボタンである再生ボタン４、メニューボタン５、セルフボタン６、ＤＩＳＰボタン７が上から順に縦方向に配列され、背面の再生ボタン４の右上方にはＡＤＪボタン８が、背面左側には画面を表示するＬＣＤ９がそれぞれ設けられている。デジタルスチルカメラ１の上面には、モードダイヤル１０、レリーズボタン１１、ズームレバー１２、電源スイッチ１３がそれぞれ配設されている。またデジタルスチルカメラ１の正面には、図２に示すようにそのほぼ中央に撮影レンズ１４が組み付けられており、その周囲にはリング１５が組み付けられている。正面左上部には撮影時に補助光を発光するストロボ１６が設けられ、撮影レンズ１４とストロボ１６との間には補助光ＬＥＤ１７が設けられている。
【００１７】
図３に示すように、電池収納室は電池を収納する電池ホルダ１８、ＳＤカードを収納するコネクタ１９、電池に接触してデジタルカメラに電源を供給する導電接続用の端子２０、電池を電池収納室内に固定するためのロック爪２１、電池が挿入された際に圧縮されロック開放時に電池に対して外部へ突出する向きの付勢力を付与するスプリング２２等を有している。コネクタ１９の内部には、ＳＤカードが挿入された際に圧縮され電池蓋３の開放時にＳＤカードに対して外部へ突出する向きの付勢力を付与する図示しないスプリングが配設されている。図４に、従来のコネクタ１９に対してＳＤカード２３を挿入して電池蓋３を開放した状態を示す。この従来の構成では、ＳＤカード２３をコネクタ１９に対して着脱する際にフリクションやストッパとなるものはなく、取り出し時にＳＤカード２３が飛び出してしまう。
【００１８】
従来の電池収納室では、図５に示すようにコネクタ１９のカード着脱口近傍に位置する電池ホルダ１８に穴２４を穿設し、この穴２４に電池を付勢する向きの付勢力をロック爪２１に付与するスプリング２５を配置している。従来のロック爪２１は、図６に示すように電池ホルダ１８に係止する係止部２６、スプリング２５を付勢する付勢部２７、電池を引っ掛ける爪部２８を有している。
【００１９】
図７は、本発明の第１の実施形態を採用したロック爪２９を示しており、図８はロック爪２９が組み付けられる電池保持手段としての電池ホルダ３４及びＳＤカード２３が着脱される外部メディア保持手段としてのコネクタ３５を示している。コネクタ３５の内部には、ＳＤカードが挿入された際に圧縮され電池蓋３の開放時にＳＤカードに対して外部へ突出する向きの付勢力を付与する図示しないスプリングが配設されている。コネクタ３５のカード着脱口近傍に位置する電池ホルダ３４には穴３６が穿設され、穴３６には電池を付勢する向きの付勢力をロック爪２９に付与するスプリング３７が配置されている。
【００２０】
電池保持部材としてのロック爪２９は上述したロック爪１２と同様に、電池ホルダ３４に係止する係止部３０、スプリング３７を付勢する付勢部３１、電池を引っ掛ける爪部３２を有しており、さらに付勢部３１と爪部３２との間の部位に、コネクタ３５に対するＳＤカード２３の着脱時にＳＤカード２３の側面に接触して、電池蓋３が開放された際に図示しないスプリングの付勢力によってＳＤカード２３がコネクタ３５より飛び出すことを摩擦抵抗力によって防止するための弾性部３３が設けられている。弾性部３３は、半球形状を呈するエラストマ等の弾性部材によって構成されており、モールド部材との２色成形やインサート成形により、ロック爪２９と一体的に構成されている。ここで、電池ホルダ３４に比して小さく簡素な構成であるロック爪２９に弾性部３３を形成することにより、型構成を簡素化することができる。
【００２１】
図９及び図１０は、コネクタ３５内にＳＤカード２３を挿入した状態から電池蓋３を開放した状態を示している。同図に示すように、上述の構成により図示しないスプリングの付勢力によってコネクタ３５からＳＤカード２３が突出する際に、弾性部３３がＳＤカードの側面に接触してＳＤカード２３に対して摩擦抵抗力を付与するので、ＳＤカードがコネクタ３５から勢いよく突出することを防止することができる。さらに、電池蓋３を開放した際に弾性部３３が外部より視認可能であるので、使用者がコネクタ３５からＳＤカード２３を引き抜く際に、ＳＤカード２３に対して弾性部３３により摩擦抵抗力が付与されていることが使用者に理解でき、ＳＤカード２３を引き抜く際の抵抗力が故障によるものではないことを使用者に判断させることができる。
【００２２】
図１１は、本発明の第２の実施形態を採用したロック爪４０を示している。このロック爪４０は、上述したロック爪２９と比較すると、弾性部３３に代えて凸形状部を複数有する弾性部３９を一体形成された腕部４１の先端に有している点において相違しており、他の構成は同一である。複数の凸形状部はエラストマ等の弾性部材によって構成し、モールド部材との２色成形やインサート成形によって腕部４１と一体的に形成されている。この第２の実施形態によれば、第１の実施形態と同様の作用効果を奏すると共に、複数の凸形状部がＳＤカード２３とのフリクション機構であることを使用者に示すことができる。
【００２３】
図１２は、本発明の第３の実施形態を採用したロック爪４３を示している。このロック爪４３は、上述したロック爪２９と比較すると、弾性部３３に代えて板ばね構造である弾性部４２を一体的に有している点において相違しており、他の構成は同一である。この第３の実施形態によれば、第１の実施形態と同様の作用効果を奏すると共に、ロック爪４３の本体と弾性部４２とを同材質で一体形成することができ、２色成形やインサート成形といった手法を必要とせずに部品点数を削減でき、簡単かつ安価に部品成形を行うことができる。
【００２４】
上述した各実施形態では、ＳＤカードに対して摩擦抵抗力を付与する弾性部３３，３９，４２をコネクタ３５のＳＤカード挿入口近傍に配置されたロック爪２９，４０，４３と一体的に構成することにより、弾性部３３，３９，４２を組み付ける工数を低減できると共に部品点数を削減することができる。これ等の効果を望まないのであれば、ＳＤカードとの接触状況が外部より視認可能である位置であれば弾性部の配設位置はどの位置に配置してもよい。
【００２５】
上記各実施形態では、電子機器としてデジタルスチルカメラを示したが、本発明が適用可能な電子機器はこれに限られず、たとえば銀塩カメラ等の他の撮影装置一般及び他の電子機器一般にも本発明は適用可能である。また、上記各実施形態では外部メディアとしてＳＤカードを示したが、本発明が適用可能な外部メディアはこれに限られず他の外部メディアにも本発明は適用可能である。
【符号の説明】
【００２６】
１  電子機器（デジタルスチルカメラ）
３  蓋体（電池蓋）
２３  外部メディア（ＳＤカード）
２９，４０，４３  電池保持部材（ロック爪）
３３，３９，４２  弾性部
３４  電池保持手段（電池ホルダ）
３５  外部メディア保持手段（コネクタ）
【先行技術文献】
【特許文献】
【００２７】
【特許文献１】特開２００８−１６３９１号公報
【図１】
2011165349.tif 000003
【図２】
2011165349.tif 000004
【図３】
2011165349.tif 000005
【図４】
2011165349.tif 000006
【図５】
2011165349.tif 000007
【図６】
2011165349.tif 000008
【図７】
2011165349.tif 000009
【図８】
2011165349.tif 000010
【図９】
2011165349.tif 000011
【図１０】
2011165349.tif 000012
【図１１】
2011165349.tif 000013
【図１２】
2011165349.tif 000014